(57)【要約】【課題】カラー画像データを白黒画像データに変換して出力する際に、白黒画像データを確認してから出力して無駄なデータ出力を防止できる画像出力装置を提供する。【解決手段】ファクシミリ複合装置１では、ストレージ装置１９から読み込んだカラー画像データが画像変換部１８に入力されて白黒画像データに変換され、この白黒画像データが表示部１３に表示される。ユーザは、表示部１３を見て白黒画像を出力させるか否かを判断する。ユーザが「ＯＫ」ボタンを押すと、白黒画像データは、プリンタ１４によって印刷されるか、又はファクシミリ送信される。ユーザが「修正」ボタンを押すと、画像変換部１８における変換式が変更され、読み込んだカラー画像データが改めて画像変換部１８よって白黒画像データに変換されて表示される。【選択図】図１
2008288865.tif 000002
【特許請求の範囲】
【請求項１】
カラー画像データが記憶されている記憶部と、
カラー画像データを所定の変換式に従って白黒画像データに変換する変換部と、
白黒画像データを表示する表示部と、
白黒画像データを出力する出力部と、
前記記憶部から読み込んだカラー画像データを前記変換部に入力して白黒画像データに変換し、該白黒画像データを前記表示部に表示させた後、前記出力部から白黒画像データを出力させる制御部とを備えることを特徴とする画像出力装置。
【請求項２】
請求項１に記載の画像出力装置において、
白黒画像データの出力を指示するための第１の操作部を備え、
前記制御部は、白黒画像データを前記表示部に表示させた後、前記第１の操作部によって白黒画像データの出力が指示されたときに、前記出力部から白黒画像データを出力させることを特徴とする画像出力装置。
【請求項３】
請求項１又は請求項２に記載の画像出力装置において、
白黒画像データの修正を指示するための第２の操作部を備え、
前記制御部は、白黒画像データを前記表示部に表示させた後、前記第２の操作部によって白黒画像データの修正が指示されたときは、前記変換部における前記変換式を変更して再び前記カラー画像データを白黒画像データに変換することを特徴とする画像出力装置。
【請求項４】
請求項１ないし請求項３のいずれかに記載の画像出力装置において、
前記出力部は、白黒画像データを印刷するモノクロプリンタを備えることを特徴とする画像出力装置。
【請求項５】
請求項１ないし請求項３のいずれかに記載の画像出力装置において、
前記出力部は、白黒画像データをファクシミリ送信するファクシミリ送信部を備えることを特徴とする画像出力装置。
【発明の詳細な説明】
【技術分野】
【０００１】
本発明は、カラー画像データを変換して得られた白黒画像データの印刷機能やファクシミリ送信機能を備えるファクシミリ複合装置等に適用される画像出力装置に関する。
【背景技術】
【０００２】
スキャナ等を用いて取り込んだ画像データをプリンタ等の出力デバイスに出力する際に、出力デバイスの特性に応じて画像データの特性（階調等）を変更し、変更後の画像データを表示して変更結果を確認することは、一般に知られている（特許文献１参照）。
【０００３】
また、ファクシミリ装置において、取り込んだカラー画像データを、色のトーンを確認するために表示し、さらにトーンのパラメータを変更した場合は、変更後のカラー画像データを表示する技術が提案されている（特許文献２参照）。
【特許文献１】特開２００３−３３７９４３号公報
【特許文献２】特開平７−１７７３６９号公報
【発明の開示】
【発明が解決しようとする課題】
【０００４】
上述した従来のファクシミリ装置では、読み取る原稿がカラーであり、ファクシミリ送信する画像データもカラー画像（多値）データであり、カラー画像データを白黒画像（２値）データに変換することは、考慮されていない。
【０００５】
また、カラー画像データを通常のファクシミリ通信の解像度での白黒画像データに変換した場合、元のカラー画像に比べて見た感じが大幅に変わってしまうことが多い。例えば、カラー画像データとしてＹＣｂＣｒ表色系を採用し、輝度Ｙより白黒画像データを生成した場合、色相が異なっても輝度が同じである限り、白黒画像では同じ濃度となってしまう。このような見た感じが大幅に変わった白黒画像データをファクシミリ送信すると、受信者が受信内容を理解できないという不都合が生じる。
【０００６】
そこで、本発明の解決すべき課題は、カラー画像データを白黒画像データに変換して出力する際に、白黒画像データを確認してから出力して無駄なデータ出力を防止できる画像出力装置の提供である。
【課題を解決するための手段】
【０００７】
上記の課題を解決するため、請求項１の発明では、カラー画像データが記憶されている記憶部と、カラー画像データを所定の変換式に従って白黒画像データに変換する変換部と、白黒画像データを表示する表示部と、白黒画像データを出力する出力部と、前記記憶部から読み込んだカラー画像データを前記変換部に入力して白黒画像データに変換し、該白黒画像データを前記表示部に表示させた後、前記出力部から白黒画像データを出力させる制御部とを備える。
【０００８】
また、請求項２の発明では、請求項１の発明に係る画像出力装置において、白黒画像データの出力を指示するための第１の操作部を備え、前記制御部は、白黒画像データを前記表示部に表示させた後、前記第１の操作部によって白黒画像データの出力が指示されたときに、前記出力部から白黒画像データを出力させる。
【０００９】
また、請求項３の発明では、請求項１又は請求項２の発明に係る画像出力装置において、白黒画像データの修正を指示するための第２の操作部を備え、前記制御部は、白黒画像データを前記表示部に表示させた後、前記第２の操作部によって白黒画像データの修正が指示されたときは、前記変換部における前記変換式を変更して再び前記カラー画像データを白黒画像データに変換する。
【００１０】
また、請求項４の発明では、請求項１ないし請求項３のいずれかの発明に係る画像出力装置において、前記出力部は、白黒画像データを印刷するモノクロプリンタを備える。
【００１１】
また、請求項５の発明では、請求項１ないし請求項３のいずれかの発明に係る画像出力装置において、前記出力部は、白黒画像データをファクシミリ送信するファクシミリ送信部を備える。
【発明の効果】
【００１２】
請求項１に記載の発明によれば、カラー画像データを白黒画像データに変換した後、白黒画像データが表示部に表示されるので、ユーザは白黒画像の内容を確認することができる。そして、見た感じが元のカラー画像とほぼ同じときは、白黒画像データを出力させ、見た感じが大幅に変わったときは、白黒画像データの出力を停止させればよい。これによって、白黒画像データの無駄な出力（印刷やファクシミリ送信など）を防止できる。
【００１３】
請求項２に記載の発明によれば、白黒画像データが表示部に表示された後、ユーザが白黒画像データの出力を指示したときに、白黒画像データが出力される。これによって、ユーザは白黒画像データの出力の可否を確実にかつ容易に選択することができる。
【００１４】
請求項３に記載の発明によれば、白黒画像データが表示部に表示された後、ユーザが白黒画像データの修正を指示したときは、変換手段における変換式が変更されてから再びカラー画像データが白黒画像データに変換されて表示される。これによって、元のカラー画像と見た感じが同じとなる白黒画像データを出力できるようになるので、白黒画像データの無駄な出力を防止できる。
【００１５】
請求項４に記載の発明によれば、カラー画像データを白黒画像データに変換して印刷する際に、印刷前に変換後の白黒画像の内容を確認できるため、ユーザが望んでいない白黒画像が印刷されて印刷が無駄になるのを防止できる。
【００１６】
請求項５に記載の発明によれば、カラー画像データを白黒画像データに変換してファクリミリ送信する際に、ファクシミリ送信前に変換後の白黒画像の内容を確認できるため、ユーザが望んでいない白黒画像がファクシミリ送信されてしまうのを防止できる。
【発明を実施するための最良の形態】
【００１７】
図１は、本発明の一実施形態に係る画像出力装置としてのファクシミリ複合装置１の構成を示すブロック図である。このファクシミリ複合装置１は、図１に示すように、制御部１１、スキャナ１２、表示部１３、プリンタ１４、ファクシミリ通信部１５、ネットワーク通信部１６、操作部１７、画像変換部１８、及びストレージ装置１９等を備えている。ファクシミリ複合装置１の機能には、ファクシミリ機能、コピー機能、スキャナ機能、及びプリンタ機能等が含まれている。これらの機能は、ファクシミリ複合装置１を直接操作することで実行できるだけでなく、ネットワークを介して接続されている端末装置からの指示で実行することも可能である。
【００１８】
制御部１１は、このファクシミリ複合装置１の制御を統括するものであり、ＣＰＵ等を備えて構成されている。スキャナ１２は、カラー原稿の読取りが可能なカラースキャナであり、ファクシミリ送信時の原稿の読取りや、スキャナ機能使用時の原稿の読取り等に用いられる。表示部１３は、液晶表示装置等によって構成され、このファクシミリ複合装置１の操作情報等の表示に用いられると共に、後述する白黒画像データの表示に用いられる。
【００１９】
プリンタ１４は、モノクロプリンタであり、白黒画像データの紙等への印刷を行う。ファクシミリ通信部１５は、電話回線網を介したファクシミリの送信及び受信を担っており、白黒画像からなる原稿データを送信及び受信する。ネットワーク通信部１６は、ＬＡＮ（Local Area Network）及びインターネット等のネットワーク（図示せず）を介したデータ通信を担っている。プリンタ１４、ファクシミリ通信部１５及びネットワーク通信部１６が、出力部に相当する。
【００２０】
より詳細には、ファクシミリ通信部１５には、ＮＣＵ（Network Control Unit）及びモデム等が備えられている。また、ネットワーク通信部１６は、ＳＭＴＰ（Simple Mail Transfer Protocol）、ＰＯＰ（Post Office Protocol）、ＳＭＢ（Server Message Block）、ＨＴＴＰ（Hyper Text Transfer Protocol）等を取り扱うための機能が備えられている。ネットワーク通信部１６の具体的な機能としては、電子メールの送信及び受信、電子メールに画像データを添付して通信するインターネットファクシミリの送信及び受信、及び、ＬＡＮ又はインターネットを介したデータの送信及び受信が含まれている。
【００２１】
第１及び第２の操作部としての操作部１７は、複数の操作ボタンやタッチパネル等により構成され、このファクシミリ複合装置１の操作に用いられる。本実施形態では、後述する白黒画像データに対する処理内容をユーザが入力する際に、操作部１７が用いられる。
【００２２】
変換部としての画像変換部１８は、所定の変換式に従って白黒画像データをカラー画像データに変換するものである。変換式は、制御部１１からの指示によって変更可能である。なお、本実施形態では画像変換部１８を制御部１１と別個の構成としたが、制御部１１が画像変換部１８の機能を有する構成も採用できる。
【００２３】
記憶部としてのストレージ装置１９は、データを記憶しておくものであり、記憶内容としては、例えば、スキャナ機能使用時に原稿を読み取って得られたカラー画像データの他に、ファクシミリ複合装置１を介して送信及び受信されたファクシミリの通信データ、インターネットファクシミリの通信データ、電子メールの通信データ、及びファクシミリ複合装置１を設定や保守管理等に関するデータ等が含まれている。なお、カラー画像データには、スキャナ機能によって得られたデータだけでなく、ファクシミリやインターネットファクシミリの受信によって得られたデータや、ネットワークを介して接続されている端末装置から送信されたデータも含まれている。
【００２４】
本実施形態は、カラー画像データを白黒画像データに変換して出力する際にユーザが望んでいない変換結果により無駄なデータ出力が行われるのを防止することを主眼とするものである。
【００２５】
制御部１１は、ストレージ装置１９から読み込んだカラー画像データを画像変換部１８に入力して白黒画像データに変換させ、該白黒画像データを表示部１３に表示させた後、操作部１７によって白黒画像データの出力が指示されたときに、プリンタ１４又はファクシミリ通信部１５から白黒画像データを出力させるようになっている。また、制御部１１は、白黒画像データを表示部１３に表示させた後、操作部１７によって白黒画像データの修正が指示されたときは、画像変換部１８における変換式を変更して再びカラー画像データを白黒画像データに変換させるようになっている。以下に、図２を参照して、この制御部１１の処理についてさらに詳細に説明する。
【００２６】
図２は、カラー画像データを白黒画像データに変換して出力する際の処理を示すフローチャートである。ユーザが操作部１７を操作してストレージ装置１９に記憶されているカラー画像データを選択すると、処理が開始される。
【００２７】
ステップＳ１では、ユーザが選択したカラー画像データを制御部１１がストレージ装置１９から読み込む。
【００２８】
ステップＳ２では、制御部１１は読み込んだカラー画像データを変換処理部１８に与えて白黒画像データに変換させ、変換後の白黒画像データを取得する。
【００２９】
ステップＳ３では、制御部１１は取得した白黒画像データを表示部１３に与えて表示させる。このとき、ユーザは表示部１３に表示された白黒画像を見て、以後の処理内容を判断し、処理内容を操作部１７から入力する。例えば、操作部１７を構成するタッチパネルに「ＯＫ」ボタン、「ＮＧ」ボタン、「修正」ボタンを表示させておき、ユーザは、白黒画像を使用できると判断したときは「ＯＫ」ボタンを押し、白黒画像を使用できないと判断して処理を終了するときは「ＮＧ」ボタンを押し、白黒画像を使用できないと判断して別の変換式での変換を望むときは「修正」ボタンを押す。
【００３０】
ステップＳ４では、制御部１１はユーザによって操作部１７から入力された処理内容の種類を判断する。「ＯＫ」ボタンが押されたと判断したときは、ステップＳ５に進む。ステップＳ５では、制御部１１は白黒画像データを出力する。この出力は、白黒画像データのプリンタ１４による印刷又は白黒画像データに基づくファクシミリ送信であり、プリンタ出力とファクシミリ送信とのいずれが行われるかは、ユーザによる事前のモード選択等により決定される。なお、ステップＳ５での出力にインターネットファクシミリの送信も含めてもよい。一方、「ＮＧ」ボタンが押されたと判断したときは、白黒画像データの出力を行わずに、処理を終了する。
【００３１】
また、ステップＳ４で「修正」ボタンが押されたと判断したときは、ステップＳ６に進む。ステップＳ６では、制御部１１は変換処理部１８における変換式を変更し、ステップＳ２に戻り、読み込んだカラー画像データを再度白黒画像データに変換して表示部１３に表示させる。以降、「ＯＫ」ボタン又は「ＮＧ」ボタンが押されるまで、ステップＳ４，Ｓ６，Ｓ２，Ｓ３の処理を繰り返す。
【００３２】
変換式の変更は、例えば、予め設定された複数個の変換式の中から白黒変換に用いる１つの変換式をユーザが選択することで行うようにしてもよいし、予め設定された変換式における変換パラメータの数値をユーザが変更するようにしてもよい。また、変換パラメータの数値の変更は、予め設定された複数個の数値の中からユーザが選択するようにしてもよいし、変換パラメータの数値をユーザが直接入力してもよい。
【００３３】
以上のように本実施形態によれば、カラー画像データを白黒画像データに変換した後、白黒画像データが表示部１３に表示されるので、ユーザは白黒画像の内容を確認することができる。そして、見た感じが元のカラー画像とほぼ同じときは、白黒画像データを出力させ、見た感じが大幅に変わったときは、白黒画像データの出力を停止させればよい。これによって、白黒画像データの無駄な出力（印刷やファクシミリ送信など）を防止できる。
【００３４】
また、白黒画像データが表示部１３に表示された後、ユーザが「ＯＫ」ボタンを押せば白黒画像データが出力され、「ＮＧ」ボタンを押せば出力されないので、ユーザは白黒画像データの出力の可否を確実にかつ容易に選択できる。
【００３５】
さらに、白黒画像データが表示部１３に表示された後、ユーザが「修正」ボタンを押したときは、画像変換部１８における変換式が変更されてから再びカラー画像データが白黒画像データに変換されて表示される。これによって、元のカラー画像と見た感じが同じとなる白黒画像データを出力できるようになるので、白黒画像データの無駄な出力を防止できる。
【００３６】
なお、上述の実施形態では、表示部１３に表示された白黒画像が元のカラー画像に比べて大幅に見た感じが変わった場合に、変換処理部１８における変換式を変更して再度カラー画像データを白黒画像データに変換するようにしたが、スキャナ１２の読取条件を変更して元のカラー画像に対応する原稿を再度読み取らせてカラー画像データを再取得してもよい。
【図面の簡単な説明】
【００３７】
【図１】本発明の一実施形態に係る画像出力装置としてのファクシミリ複合装置の構成を示すブロック図である。
【図２】カラー画像データを白黒画像データに変換して出力する際の処理を示すフローチャートである。
【符号の説明】
【００３８】
１  ファクシミリ複合装置
１１  制御部
１２  スキャナ
１３  表示部
１４  プリンタ
１５  ファクシミリ通信部
１６  ネットワーク通信部
１７  操作部
１８  画像変換部
１９  ストレージ装置
【図１】
2008288865.tif 000003
【図２】
2008288865.tif 000004